(57)【特許請求の範囲】
【請求項１】
短絡とアークを交互に繰り返しながら溶接をする消耗電極式ガスシールドアーク溶接の終端処理部アーク溶接安定性を判定するに際し、溶接電極（以下溶接ワイヤと称す）と被溶接材間の溶接電圧を検出する電圧検出手段と、溶接ワイヤと被溶接材間を流れる溶接電流を検出する電流検出手段を用いて出力されるアナログ出力信号を所定のサンプリング周波数でデジタル信号に変換して演算手段に入力し、終端処理部の溶接安定性の程度をあらわす次の３項目、
（ａ）１周期毎のアーク期間の溶接電流積分値の標準偏差
σ（∫ＩAnｄｔ）
（ｂ）１周期毎の短絡期間の溶接電流積分値の標準偏差
σ（∫ＩSnｄｔ）
（ｃ）１周期毎のアーク／短絡時間比率の標準偏差
σ（ＴAn／ＴSn）
の内任意の１又は２項目以上を演算し、それぞれに対応する基準値と比較して、何れか１つでも基準値との差が予め設定した許容範囲を越えたときに終端処理部の溶接が不安定または不良であると判定することを特徴とするアーク溶接終端処理部の溶接安定性判定方法。
【請求項２】
短絡とアークを交互に繰り返しながら溶接をする消耗電極式ガスシールドアーク溶接の終端処理部アーク溶接安定性判定装置であって、溶接ワイヤと被溶接材間の溶接電圧を検出する電圧検出手段と、溶接ワイヤと被溶接材間を流れる溶接電流を検出する電流検出手段と、両手段からのアナログ出力信号をデジタル信号に変換するＡ／Ｄコンバータと、該コンバータからのデジタル信号を基に、
（ａ）１周期毎のアーク期間の溶接電流積分値の標準偏差
σ（∫ＩAnｄｔ）
（ｂ）１周期毎の短絡期間の溶接電流積分値の標準偏差
σ（∫ＩSnｄｔ）
（ｃ）１周期毎のアーク／短絡時間比率の標準偏差
σ（ＴAn／ＴSn）
の３項目の内任意の１又は２項目以上を演算する演算手段と、演算手段からの演算結果を予め設定された基準値と比較し、基準値との差が許容範囲内か否かを判定する比較器と、比較器の出力を表示する表示器とからなることを特徴とするアーク溶接終端処理部の溶接安定性判定装置。
【発明の詳細な説明】
【０００１】
【発明の属する技術分野】
本発明は、消耗電極式ガスシールドアーク溶接に関し、終端処理部の溶接現象の不安定性に起因して発生する溶接品質不良の流出防止を目的とし、アーク溶接終端処理部の溶接安定性判定方法及び判定装置に関するものである。
【０００２】
【従来の技術】
消耗電極式ガスシールドアーク溶接では、溶接電源の出力制御が制御素子の進歩によりサイリスタ方式からインバータ方式に変化し、制御速度が３００Ｈｚから１５〜６０ＫＨｚへと約５０〜２００倍も高速化され、溶接電流の波形制御ができるようになり、アークスタート性能の向上、高速溶接での溶接現象の安定性向上やスパッタの発生量低減及びアークスタート性向上のための溶接ワイヤ先端球状塊の径小化が可能となり、溶接現象の安定性が改善されつつある。
【０００３】
しかし終端処理部の溶接品質は、ワイヤ送給機構の慣性によって種々の異常現象が発生し易く、溶接ロボット等による自動溶接ラインの大きな問題となっていた。この終端処理部の溶接現象安定性の良否判定は、一般に作業者や技術者が終端処理部の溶接ビード外観の均一性を目視することにより行っていた。
【０００４】
しかし目視による定性的な判定のため、微小な異常の場合の判定には個人差があり、インラインでの判定に統一的な基準を求めることは困難であった。
【０００５】
【発明が解決しようとする課題】
現状では終端処理部の溶接現象安定性をリアルタイムで且つ定量的に監視する方法はなく、溶接現象の安定化対策として定期的にワイヤ送給経路を清掃したり、ワイヤコンジットケーブルを交換したり、コンタクトチップを交換したり、あるいは溶接品質異常が生じてからこれらの対策を実施していた。本発明は上記従来技術の問題点に鑑みてなされたもので、終端処理部の溶接現象を正確に捉え、溶接現象の安定性の良否を迅速に判定する方法及び装置を提供することを目的とする。
【０００６】
【課題を解決するための手段】
上記目的を達成するために、請求項１の発明は、
短絡とアークを交互に繰り返しながら溶接をする消耗電極式ガスシールドアーク溶接の終端処理部アーク溶接安定性を判定するに際し、溶接ワイヤと被溶接材間の溶接電圧を検出する電圧検出手段と、溶接ワイヤと被溶接材間を流れる溶接電流を検出する電流検出手段を用いて出力されるアナログ出力信号を所定のサンプリング周波数でデジタル信号に変換して演算手段に入力し、終端処理部の溶接安定性の程度をあらわす次の３項目、
（ａ）１周期毎のアーク期間の溶接電流積分値の標準偏差
σ（∫ＩAnｄｔ）
（ｂ）１周期毎の短絡期間の溶接電流積分値の標準偏差
σ（∫ＩSnｄｔ）
（ｃ）１周期毎のアーク／短絡時間比率の標準偏差
σ（ＴAn／ＴSn）
の内任意の１又は２項目以上を演算し、それぞれに対応する基準値と比較して、何れか１つでも基準値との差が予め設定した許容範囲を越えたときに終端処理部の溶接が不安定または不良であると判定することを特徴とするアーク溶接終端処理部の溶接安定性判定方法である。
【０００７】
そして、請求項２の発明は、
短絡とアークを交互に繰り返しながら溶接をする消耗電極式ガスシールドアーク溶接の終端処理部アーク溶接安定性判定装置であって、溶接ワイヤと被溶接材間の溶接電圧を検出する電圧検出手段と、溶接ワイヤと被溶接材間を流れる溶接電流を検出する電流検出手段と、両手段からのアナログ出力信号をデジタル信号に変換するＡ／Ｄコンバータと、該コンバータからのデジタル信号を基に、
（ａ）１周期毎のアーク期間の溶接電流積分値の標準偏差
σ（∫ＩAnｄｔ）
（ｂ）１周期毎の短絡期間の溶接電流積分値の標準偏差
σ（∫ＩSnｄｔ）
（ｃ）１周期毎のアーク／短絡時間比率の標準偏差
σ（ＴAn／ＴSn）
の３項目の内任意の１又は２項目以上を演算する演算手段と、演算手段からの演算結果を予め設定された基準値と比較し、基準値との差が許容範囲内か否かを判定する比較器と、比較器の出力を表示する表示器とからなることを特徴とするアーク溶接終端処理部の溶接安定性判定装置である。
【０００８】
【作用】
終端処理部におけるアーク放電が安定して形成されないことに起因して発生する溶接現象安定性の程度を１周期毎のアーク期間の溶接電流積分値の標準偏差、１周期毎の短絡期間の溶接電流積分値の標準偏差、１周期毎のアーク／短絡時間比率の標準偏差の３項目の内任意の１又は２項目以上をそれぞれ演算し定量値として表示し、それぞれに対応する基準値と比較し、各定量値の何れか１つでも基準値との差が予め設定した許容範囲を越えたときに溶接現象が不安定であると判定する。こうすることで、溶接ワイヤへの給電不良や送給抵抗増加等による溶接現象不安定性による溶接品質異常を正確かつ確実に検知する。
【０００９】
【発明の実施の形態】
次に本発明の好ましい実施の形態を図面の実施例に基づいて説明する。
図１は本発明の実施例のブロック図である。図中の１は溶接電源で所定の電流・電圧を溶接ワイヤ２、被溶接材５間に印加させ、溶接ワイヤ２は被溶接材５を溶接するために送給ローラ３によって所定の速度で送給される。４はコンタクトチップ、６は溶接電流を測定するための分流器、７は溶接ワイヤと被溶接材を流れる溶接電流を検出する電流検出回路、８は溶接ワイヤと被溶接材間の溶接電圧を検出する電圧検出回路、９は両検出回路７，８からの各アナログ出力信号を所定のサンプリング周波数でデジタル信号に変換するＡ／Ｄコンバータ、１７は演算及び出力装置で両検出回路７，８とＡ／Ｄコンバータ９を含む。
【００１０】
本装置１７は溶接電圧、溶接電流を測定してデジタル変換し、１周期毎のアーク期間溶接電流積分値の標準偏差及び短絡期間溶接電流積分値の標準偏差、また１周期毎のアーク／短絡時間比率の標準偏差を算出するために種々の演算をしてその演算結果を予め設定された基準値と比較し、基準値との差が許容範囲内か否かの比較を行うＣＰＵ１０、それらの演算データを表示及び印刷するＣＲＴ１１（ディスプレイ）及びプリンター１５、プログラム及び演算に必要な種々のデータを格納するメモリ（ＲＯＭ１２，ＲＡＭ１３）及び測定に必要な定数及びその他のデータを入力するキーボード１４、さらに溶接電流積分値異常、アーク／短絡時間比率異常等の異常信号を表示する表示器１６から構成される。
【００１１】
次に本発明による終端処理部の溶接現象安定性判定方法について説明する。はじめに終端処理部のアーク放電状態解析実行の概略処理フローを図２に示す。  まずサンプリング速度、トリガーレベル、アーク・短絡判定電圧をキーボード１４により入力しＣＰＵ１０内に設定し、溶接を開始させる。溶接電圧がトリガーレベルに達すると溶接電圧・電流の入力を開始し測定回数が、設定回数に達するまでデータをＲＡＭ１３内に格納する。所定数のサンプリングが完了すると、ＲＯＭ１２内に格納されているプログラムを実施することにより、各種の演算を行う。
【００１２】
ここで各種の演算は、演算データの誤判定を防ぐため演算区間の設定をキーボード１４より入力できるようになっている。つまりアークスタート時及び定常部を演算区間から外せるようになっている。演算が完了すると各種の演算結果をそれぞれに対応する基準値と比較して、各定量値の何れか１つでも基準値との差が予め設定した許容範囲を越えたときに溶接現象が不安定であるとして、溶接電流積分値異常、アーク／短絡時間比率異常等の異常信号の出力が行われ、ビード形状不揃い、アンダーカット、溶け落ち等の溶接品質異常の判定を行う。また、アーク放電が安定して形成された場合はＯＫ信号を出力する。
【００１３】
次に図２内サブルーチン１のアーク期間溶接電流積分値の演算について説明する。
図３はアーク期間溶接電流積分値標準偏差演算処理を行うサブルーチンの詳細である。アーク期間溶接電流積分値標準偏差の演算は、Ｔ1 時間タイムアップ後から、設定時間Ｔ2 までの溶接ワイヤと被溶接材間を流れる溶接電流と溶接電圧をサンプリングし、ｎ周期目の溶接電圧がＶａ以上に到達した時間から溶接電流の測定を開始し、Ｖａ以下に下がった時間までのアーク期間の溶接電流積分値を演算し、その後にその積分値の標準偏差を演算する。なお、判別電圧Ｖａ及びＴ1 ，Ｔ2 時間の設定は自由に変更できるようになっている。
【００１４】
このアーク期間溶接電流積分値は、図６に示すように１周期毎のアーク期間溶接電流波形とそのアーク時間によって囲まれる面積∫ＩAnｄｔを表し、その標準偏差σ（∫ＩAnｄｔ）はアーク期間の溶接電流とアーク時間のバラツキを同時に表す。この溶接電流積分値の標準偏差が大きくなると言うことは、短絡現象がほとんど継続する瞬間アークや短絡に至らない長期アーク現象の発生等により溶滴移行現象が不安定であると言うことで、この標準偏差が低いほど溶滴移行現象が安定していることを示す。
【００１５】
ここでサンプリングノイズやチャタリング等による標準偏差の変化を低減するため１ｍｓｅｃ以内のアーク現象は短絡時間として演算する。この溶接電流積分値標準偏差を基準値と比較して、基準値との差が予め設定した許容範囲を越えたときアーク期間溶接電流積分値異常として異常信号を出力する。
【００１６】
次に図２内サブルーチン２の短絡期間溶接電流積分値の演算について説明する。図４は短絡期間溶接電流積分値標準偏差演算処理を行うサブルーチンの詳細である。短絡期間溶接電流積分値標準偏差の演算は、定常溶接測定開始時間であるＴ1 時間タイムアップ後から、定常溶接測定終了時間である設定時間Ｔ2 までの溶接ワイヤと被溶接材間を流れる溶接電流と溶接電圧をサンプリングし、ｎ周期目の溶接電圧Ｖ（ｎ）がアーク・短絡判定電圧Ｖａ以下に到達した時間から溶接電流の測定を開始し、Ｖａ以上に上がった時間までの短絡期間の溶接電流積分値を演算し、その後にその積分値の標準偏差を演算する。なお、判定電圧Ｖａ及びＴ1，Ｔ2時間の設定は任意に変更できるようになっている。
【００１７】
この短絡時間溶接電流積分値は、図６に示すように１周期毎の短絡期間の溶接電流波形とその短絡時間によって囲まれる面積∫ＩSnｄｔを表し、その標準偏差σ（∫ＩSnｄｔ）は短絡期間の溶接電流と短絡時間のバラツキを同時に表す。
【００１８】
この標準偏差が大きくなると言うことは、溶滴移行がほとんど行われない瞬間短絡や短絡現象が解放されない長期短絡の発生により短絡現象が不安定であるということで、この標準偏差が低いほど短絡現象が安定し溶滴移行が周期的に行われていることを示す。
【００１９】
ここでサンプリングノイズやチャタリング等による標準偏差の変化を低減するため１ｍｓｅｃ以内の短絡現象はアーク時間として演算する。この短絡期間溶接電流積分値標準偏差を基準値と比較して、基準値との差が予め設定した許容範囲を越えたとき短絡期間溶接電流標準偏差異常として異常信号を出力する。
【００２０】
次に図２内サブルーチン３のアーク／短絡時間比率の標準偏差の演算について説明する。図５はこのアーク／短絡時間比率の標準偏差演算処理を行うサブルーチンの詳細である。アーク／短絡時間比率の標準偏差の演算はＴ1 時間タイムアップ後から、設定時間Ｔ2 までの溶接ワイヤと被溶接材間を流れる溶接電流と溶接電圧をサンプリングし、ｎ周期目の溶接電圧Ｖ（ｎ）がＶａ以上に到達した時間からアーク時間ＴAnの測定を開始し、Ｖａ以下に下がった時間までのアーク時間と、ｎ周期目の溶接電圧Ｖ（ｎ）がＶａ以下に到達した時間から短絡時間ＴSnの測定を開始し、Ｖａ以上に上がった時間までの短絡時間を測定し、アーク／短絡時間比率を演算し、その後に１周期毎のアーク／短絡時間比率の標準偏差σ（ＴAn／ＴSn）を演算する。
【００２１】
このアーク／短絡時間比率標準偏差が大きくなると言うことは瞬間アーク、長期アーク及び瞬間短絡、長期短絡等の発生による溶滴移行現象が不安定であるということで、この標準偏差が低いほど溶滴移行現象が安定していることを示す。このアーク／短絡時間比率の標準偏差を基準値と比較して、基準値との差が予め設定した許容範囲を越えたときアーク／短絡時間比率異常として異常信号を出力する。
【００２２】
以上のように溶接品質異常の監視をアークスタート部及び定常溶接部を除いた終端処理部だけ行うこととしたのは、溶接終端部の処理は溶接ワイヤが特有の時定数で減衰し、その惰走分を溶融させるため溶接現象が不安定になりがちで、定常溶接部の判定基準では判定ができないためである。したがって、本実施例によれば終端処理部において溶接現象が安定して形成された場合は、前記異常信号が出力されることはない。このため自動及び半自動アーク溶接装置において終端処理部における溶接現象の不安定状態を異常信号の出力により、作業者や技術者が容易に検知可能となり、異常処理等の適切な処理を施すことにより不良品の流出を確実に防止することができる。
【００２３】
図７はアーク溶接中の各段階（イ）〜（チ）における溶滴の移行現象と、溶接電圧波形及び溶接電流波形を説明する図である。
【００２４】
【発明の効果】
上述のように請求項１の終端処理部の溶接安定性判定方法によれば、溶接電流及び溶接電圧を所定の時間にわたって（ａ）〜（ｃ）までの任意の１又は２項目以上を演算し、それぞれに対応する基準値と比較し、各定量値の何れか１つでも基準値との差が予め設定した許容範囲を越えたときに、終端処理部の溶接現象が不安定または不良であると言うことをリアルタイムに判定できるという利点がある。また溶接異常発生時の自動回復処理の電源制御信号を出力するための指標としてこれらのデータが有効に活用できるという効果も有する。
【００２５】
さらに請求項２の溶接安定性判定装置によれば、溶接中に終端処理部の溶接安定性をリアルタイムに且つ正確で定量的に監視することができ、溶接品質不良品の流出を確実に防止可能にする利点がある。
【図面の簡単な説明】
【図１】本発明の終端処理部溶接安定性判定装置の一実施例の全体構成を示すブロック図である。
【図２】本発明の解析実行フローチャートである。
【図３】アーク期間溶接電流積分値標準偏差演算処理を行うサブルーチンである。
【図４】短絡期間溶接電流積分値標準偏差演算処理を行うサブルーチンである。
【図５】アーク／短絡時間比率標準偏差演算処理を行うサブルーチンである。
【図６】アーク溶接中の溶滴の移行現象、溶接電圧波形及び溶接電流波形の説明図である。
【符号の説明】
１      溶接電源
２      溶接ワイヤ
４      コンタクトチップ
５      被溶接材
６      分流器
７      溶接電流検出回路
８      溶接電圧検出回路
９      Ａ／Ｄコンバータ
１０    ＣＰＵ
１６    表示器
１７    演算及び出力装置
【図１】
0003898812.tif 000002
【図２】
0003898812.tif 000003
【図３】
0003898812.tif 000004
【図４】
0003898812.tif 000005
【図５】
0003898812.tif 000006
【図６】
0003898812.tif 000007